(57)【特許請求の範囲】
【請求項１】
映像を表示する表示パネルを含む表示部本体、前記表示部本体を支持する脚および前記表示部本体に前記脚を固定する固定部材を有する表示装置において、
前記表示部本体は、
下面に固定孔を備え、
前記脚は、
上向きに立ち上がる脚縁部を縁に有する複数の接地部と、
折り曲げられた板材により前記接地部と一体に形成されており、前記接地部間を接続する接続部と、
表面を覆い、前記接地部および前記脚縁部との間に空洞を形成する脚カバーとを有し、
前記接続部は、
前記板材を厚さ方向に貫通する通し孔が設けられた取付部と、
前記取付部の縁と前記接地部とに連続する立ち上がり部とを有し、
前記固定部材は、
前記通し孔と前記固定孔とに挿通された棒状部を
備える表示装置。
【請求項２】
前記取付部は矩形であり、
前記立ち上がり部は、前記取付部の向かい合う２辺にそれぞれ連続し、互いに平行に配
置されている
請求項１に記載の表示装置。
【請求項３】
同一形状を有する複数の前記脚を備える
請求項１または請求項２に記載の表示装置。
【請求項４】
前記取付部は、水平に配置される
請求項１から請求項３のいずれか一つに記載の表示装置。
【請求項５】
前記表示部本体は、
前記表示パネルの背面に設けられた反射シートと、
前記反射シートを収容する収容体とを備え、
前記棒状部は、前記反射シートと前記収容体との間に一端を、前記収容体の外側に他端
を有する
請求項１から請求項４のいずれか一つに記載の表示装置。
【請求項６】
請求項１から５のいずれか一つに記載の表示装置と、
テレビジョン放送を受信する受信部と
を備え、
前記受信部にて受信したテレビジョン放送に基づいて、前記表示装置に映像を表示する
ようにしてあるテレビジョン受信機。
【発明の詳細な説明】
【技術分野】
【０００１】
本発明は、画像を表示する表示装置およびテレビジョン受信機に関する。
【背景技術】
【０００２】
表示部の背面に取り付ける支柱と台座との２つの部分に分割されており、支柱を台座の凹部に挿入して固定する表示装置用スタンドが開示されている（特許文献１、特許文献２）。表示部の背面に上端を軸として表示面外方向に回動可能に取り付けた棒状の支柱と表示部の下面とにより、表示部を設置面に対して傾斜させた状態で支持する表示装置用スタンドが開示されている（特許文献３）。
【先行技術文献】
【特許文献】
【０００３】
【特許文献１】特開２０１０−６８３８９号公報
【特許文献２】特開２００９−２６５２２６号公報
【特許文献３】特開２００６−１７３８４６号公報
【発明の概要】
【発明が解決しようとする課題】
【０００４】
特許文献１および特許文献２の表示装置用スタンドは、支柱と台座の２つの部分に分割されている。そのため、両者を固定する部品が必要であり、部品の数が多くなっていた。
【０００５】
特許文献３の表示装置用スタンドは小型の表示装置用であり、表示面を設置面に対して垂直に設置する中型および大型の表示装置用には適していない。
【０００６】
本発明は、少ない数の部品で設置面に対して表示面を垂直に保持する脚を備える表示装置およびテレビジョン受信機を提供することを目的とする。
【課題を解決するための手段】
【０００７】
映像を表示する表示パネルを含む表示部本体、前記表示部本体を支持する脚および前記表示部本体に前記脚を固定する固定部材を有する表示装置において、前記表示部本体は、下面に固定孔を備え、前記脚は、上向きに立ち上がる脚縁部を縁に有する複数の接地部と、折り曲げられた板材により前記接地部と一体に形成されており、前記接地部間を接続する接続部と、表面を覆い、前記接地部および前記脚縁部との間に空洞を形成する脚カバーとを有し、前記接続部は、前記板材を厚さ方向に貫通する通し孔が設けられた取付部と、前記取付部の縁と前記接地部とに連続する立ち上がり部とを有し、前記固定部材は、前記通し孔と前記固定孔とに挿通された棒状部を備える。
【０００８】
本発明にかかる表示装置は、前記取付部は矩形であり、前記立ち上がり部は、前記取付部の向かい合う２辺にそれぞれ連続し、互いに平行に配置されている。
【０００９】
本発明にかかる表示装置は、同一形状を有する複数の前記脚を備える。
【００１０】
本発明にかかる表示装置は、前記表示部本体は、前記表示パネルの背面に設けられた反射シートと、前記反射シートを収容する収容体とを備え、前記棒状部は、前記反射シートと前記収容体との間に一端を、前記収容体の外側に他端を有する。
【００１１】
本発明にかかるテレビジョン受信機は、上述のいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１２】
少ない数の部品で設置面に対して表示面を垂直に保持する脚を備える表示装置およびテレビジョン受信機を提供することができる。
【図面の簡単な説明】
【００１３】
【図１】表示装置の外観斜視図である。
【図２】表示部本体の主要部の分解斜視図である。
【図３】表示装置の断面図である。
【図４】脚の分解斜視図である。
【図５】脚の外観斜視図である。
【図６】脚本体の母材の形状を示す説明図である。
【図７】脚の断面図である。
【図８】表示部本体の下部の拡大斜視図である。
【図９】表示部本体の下部の拡大斜視図である。
【図１０】表示部本体の下部の拡大斜視図である。
【図１１】背面筐体の斜視図である。
【図１２】表示部本体の下部の拡大斜視図である。
【図１３】脚取付部の断面図である。
【図１４】実施の形態２の脚の外観斜視図である。
【図１５】実施の形態２の表示部本体下面の拡大斜視図である。
【図１６】実施の形態３の脚本体の外観斜視図である。
【図１７】実施の形態３の表示部本体の下部の拡大斜視図である。
【図１８】実施の形態４の脚の断面図である。
【図１９】実施の形態５の脚の外観斜視図である。
【図２０】実施の形態５の脚の断面図である。
【図２１】実施の形態６の脚の外観斜視図である。
【発明を実施するための形態】
【００１４】
［実施の形態１］
図１は、表示装置の外観斜視図である。表示装置１０は、表示部本体１１および表示部本体１１の下に取り付けられた２本の脚３０を備える。脚３０の表示装置１０の外観に見える部分は、略長板形状である。表示部本体１１は、表示パネル１２および入力基板１４を備える。以下の説明では、各図中に矢印で示す前、後、左、右、上および下のそれぞれの向きを使用する。なお、脚３０について説明する場合には、脚３０の長手方向を前後方向として説明する場合がある。
【００１５】
表示部本体１１の内部に設けられた入力基板１４は、外部からの映像信号の入力を受け付けて、所定の信号処理を行なって生成した駆動信号を出力する基板である。表示パネル１２は、液晶パネルであり、入力基板１４から入力された駆動信号に基づいて映像を表示する。本実施の形態においては、上下方向よりも左右方向の方が長い矩形の表示パネル１２を使用する。
【００１６】
脚３０は、表示装置１０を床面または机の天面等の平面の上に立てて指示する部材である。２本の脚３０は、同一の形状である。２本の脚３０は、前側で間隔が広がるように約６０度の角度をなし、表示部本体１１の下面に左右に振り分けて固定されている。
【００１７】
図２は、表示部本体１１の主要部の分解斜視図である。図２は、表示部本体１１の右前方から見た図である。図２を使用して、表示部本体１１の主要部の概要を説明する。
【００１８】
表示部本体１１は、前述した表示パネル１２および入力基板１４と共に、前枠１３、光学シート１５、保持体１６、反射シート１８、ＬＥＤ（Light Emitting Diode）基板１７、収容体５０および背面筐体７０を備える。なお、入力基板１４は、収容体５０の背面に固定されている。
【００１９】
前枠１３は、表示パネル１２の縁を覆う矩形の枠である。光学シート１５は、光を拡散、収束等させる樹脂製シートである。光学シート１５は、拡散シート、プリズムシート等の複数のシートが積層されたものである。光学シート１５は、表示パネル１２と略同一形状である。
【００２０】
保持体１６は、表示パネル１２、光学シート１５、および反射シート１８の縁を保持する、枠状の保持部材である。
【００２１】
反射シート１８は、矩形の平面部１８１と、平面部１８１の４辺からそれぞれ斜め前方に立ち上がる台形の傾斜部１８２とを有する、皿型の部品である。隣接する傾斜部１８２同士は接している。反射シート１８の前側の縁は、表示パネル１２の４辺に沿っている。反射シート１８は、白色の樹脂製である。平面部１８１には、複数の孔１８３が設けられている。
【００２２】
収容体５０は、矩形の底板５１の周縁に前向きに立ち上がる側板５２を備えた箱体である。収容体５０の前側の縁は、表示パネル１２の４辺に沿っている。収容体５０の下側の側板５２は、底板５１に対して垂直である。収容体５０は、鋼板をプレス加工して製作する。
【００２３】
ＬＥＤ基板１７は、収容体５０に固定された長板形状の回路基板である。ＬＥＤ基板１７の一面には、複数の白色ＬＥＤが実装されている。収容体５０には複数のＬＥＤ基板１７が取り付けられている。収容体５０、ＬＥＤ基板１７および反射シート１８を組み付けた状態では、白色ＬＥＤは、反射シート１８に設けられた孔１８３を通って反射シート１８の前側に出ている。
【００２４】
背面筐体７０は、収容体５０の背面および縁を覆う樹脂製の外装部材である。背面筐体７０の下側の面は、収容体５０の下側の側板５２に対して平行である。
【００２５】
図３は、表示装置１０の断面図である。図３は表示装置１０を一方の脚３０の長手方向に沿って切断した縦断面図である。なお、図３は、切断面の面内に含まれる部品のみを示しており、ＬＥＤ基板１７およびＬＥＤ基板１７に実装された白色ＬＥＤは省略している。図３を使用して、以上に説明した各部品の位置関係の概要を説明する。
【００２６】
前枠１３と収容体５０との間に、前側から順番に表示パネル１２、光学シート１５および反射シート１８が配置されている。
【００２７】
反射シート１８の平面部１８１と、上側、右側、および左側の各傾斜部１８２とは、収容体５０に接している。反射シート１８の下側の傾斜部１８２と、収容体５０の下側の側板５２との間には、三角柱形状の空間がある。
【００２８】
脚３０の中央付近と、収容体５０の下側の側板５２とは、脚固定ねじ３９により固定されている。脚固定ねじ３９は、表示部本体１１と脚３０とを固定する固定部材の一例である。なお、脚３０の構造および脚３０を収容体５０に固定する部分の構造については後述する。
【００２９】
表示装置１０の動作の概要を説明する。ＬＥＤ基板１７に搭載された白色ＬＥＤは拡散光を出射する。出射した光は、直接または反射シート１８で反射して、光学シート１５の背面を均一に照明する。光は、光学シート１５を透過して表示パネル１２の背面に入射する。すなわち、ＬＥＤ基板１７および反射シート１８は、表示パネル１２を背面から照明するバックライトである。
【００３０】
入力基板１４から入力された映像信号に基づいて、表示パネル１２を構成する各画素がバックライトから放射された光を透過および遮蔽する。バックライトの作用により、ユーザは表示パネル１２に表示される映像を視認することができる。
【００３１】
図４は、脚３０の分解斜視図である。図５は、脚３０の外観斜視図である。図６は、脚本体３１の母材３８の形状を示す説明図である。図７は、脚３０の断面図である。図４から図７を使用して、本実施の形態の脚３０の構造を説明する。
【００３２】
図４に示すように、脚３０は、脚カバー４１、脚本体３１、２本の脚カバー固定ねじ４８および２個の脚ゴム４９を備える。脚ゴム４９は、矩形のゴムシートである。
【００３３】
脚本体３１は、２個の接地部３４と、接地部３４同士を繋ぐ接続部２７を有する。接続部２７は、取付部３２、立ち上がり部３７および連結部２５を有する。接地部３４は、脚本体３１下面の両端に設けられた平面の部分である。２つの接地部３４は、同一平面上にある。取付部３２は、脚本体３１の中央付近の上側にある。取付部３２は、２つの接地部３４と平行な矩形の平面部である。取付部３２の向かい合う２つの辺は、矩形の立ち上がり部３７に接続している。立ち上がり部３７は、２つの接地部３４に対して垂直である。立ち上がり部３７の取付部３２とは反対側の辺は、連結部２５を介して接地部３４に接続している。連結部２５および接地部３４の縁には、上向きに立ち上がる脚縁部３６が設けられている。
【００３４】
図５に示すように、取付部３２は左右に並んだ２個の通し孔３３を有する。取付部３２の後側の辺には、上向きの突起部である矩形の爪３５が設けられている。なお、爪３５の形状はたとえば半円形、三角形等でも良い。
【００３５】
図４に示すように、脚カバー４１は、下側が開口した箱型の樹脂製部材である。脚カバー４１の中央付近には、取付部３２を挿通可能な矩形の孔が設けられている。図５に示すように、孔の縁には、三角柱形状の規制突起４４が上向きに突出している。規制突起４４、取付部３２および立ち上がり部３７の外形は、五角形柱の形状を構成している。脚カバー４１の上面の傾斜は、前側に比べて後側の方が急である。
【００３６】
図７に示すように、脚３０は、脚本体３１の上に脚カバー４１をかぶせ、２本の脚カバー固定ねじ４８で締結して構成されている。脚カバー４１の中央付近に設けられた孔から、立ち上がり部３７の上側の半分および取付部３２が突出している。接地部３４の下面には、両面テープにより脚ゴム４９が固定されている。脚ゴム４９は、脚カバー固定ねじ４８の頭の一部を覆っている。
【００３７】
脚本体３１は、１枚の母材３８をプレス加工した部材である。図６に、プレス加工前の脚本体３１の母材３８の形状を示す。破線は谷折り線を、一点鎖線は山折り線をそれぞれ示す。脚本体３１は、継ぎ目の無い一体の構造である。脚本体３１は複雑な形状の部品であるが、プレス加工を利用しているため製造を自動化することが可能である。
【００３８】
図８から図１０は、表示部本体１１の下部の拡大斜視図である。図８から図１０は、収容体５０の右下の部分および収容体５０から取り外した脚３０を右上から見た図を示す。図８から図１０を使用して、脚３０を表示部本体１１に固定する部分の構造を説明する。
【００３９】
図８に示すように、収容体５０の下側の側板５２には、２個の固定孔５３および長方形の爪孔５５が設けられている。孔の配置について説明する。一個の固定孔５３の斜め右後方に、別の固定孔５３が設けられており、両方の固定孔を結ぶ線の左後方に、この線と平行に爪孔５５の長手方向が配置されている。固定孔５３は通し孔３３と、爪孔５５は爪３５とそれぞれ対応した位置に設けられており、ほぼ同一の寸法である。
【００４０】
図９は、収容体５０にねじカバー６０を取り付けた図である。図９では、ねじカバー６０の一部を破断して示している。ねじカバー６０は、収容体５０の外側から締結された２本のねじカバー固定ねじ６６により、収容体５０に固定されている。ねじカバー６０は、金属の板をプレス加工した部品である。
【００４１】
ねじカバー６０は、側板５２に当接する部分に２個の脚固定ねじ孔６３および１個の矩形のカバー爪孔６５を有する。脚固定ねじ孔６３は、バーリング加工により縁が上側に盛り上げられ、内面にめねじが設けられている。脚固定ねじ孔６３は、固定孔５３よりも小さい孔である。脚固定ねじ孔６３は固定孔５３と、カバー爪孔６５は爪孔５５と、それぞれ対応する位置に設けられている。
【００４２】
脚３０の爪３５を爪孔５５およびカバー爪孔６５に挿入した場合に、通し孔３３、固定孔５３および脚固定ねじ孔６３の位置が重なる。ここに下側から２本の脚固定ねじ３９が挿通される。脚固定ねじ３９のおねじと脚固定ねじ孔６３のめねじとが螺合することにより、表示部本体１１と脚３０とが直接ねじ固定される。
【００４３】
図１０は、破断しないねじカバー６０および収容体５０の下部を示す。脚固定ねじ孔６３およびカバー爪孔６５は、収容体５０の内側から見えない状態になっている。
【００４４】
図１１は、背面筐体７０の斜視図である。図１１は、背面筐体７０を斜め下後方から見た図である。背面筐体７０の下面には、五角形の筐体孔７２が２個設けられている。筐体孔７２は、規制突起４４、取付部３２および立ち上がり部３７の外形により構成された五角形柱を挿通可能な形状である。
【００４５】
図１２は、表示部本体１１の下部の拡大斜視図である。図１２は、表示部本体１１の筐体孔７２付近を拡大した図を示す。筐体孔７２の奥に、収容体５０に設けられた固定孔５３および爪孔５５を見通すことができる。
【００４６】
図１３は、脚３０取付部の断面図である。図１３は脚固定ねじ３９を通る面で、脚３０の長手方向に表示装置１０を切断した縦断面図である。収容体５０の下側に、脚固定ねじ３９により脚３０が取り付けられている。図１３を使用して、取付部の構造を説明する。
【００４７】
前述のとおり、反射シート１８の下側の傾斜部１８２と、収容体５０の下側の側板５２との間には、三角柱形状の空間がある。収容体５０に固定されたねじカバー６０は、この三角柱形状の空間内に位置する。
【００４８】
背面筐体７０の筐体孔７２に脚３０の中央から突出する規制突起４４、取付部３２および立ち上がり部３７で構成された五角形柱が挿通され、取付部３２の上面が収容体５０の下面に当接している。ねじカバー６０の脚固定ねじ孔６３、収容体５０の固定孔５３および脚本体３１の通し孔３３を、脚固定ねじ３９が貫通している。脚固定ねじ３９のおねじと、脚固定ねじ孔６３のめねじとの締結により、脚３０が表示部本体１１に固定されている。脚固定ねじ３９の先端は、ねじカバー６０の内部に位置する。
【００４９】
本実施の形態によると、脚３０と表示部本体１１とが、脚固定ねじ３９により直接固定される。そのため、少ない数の部品で設置面に対して表示面を垂直に保持する脚３０を備える表示装置１０を提供することができる。
【００５０】
脚３０を間違った向きに取り付けようとした場合には、脚本体３１の爪３５が収容体５０の下面と干渉する。そのため、脚３０を間違った向きに取り付けることを防止することができる。
【００５１】
また、脚３０を間違った向きに取り付けようとした場合には、脚カバー４１の規制突起４４と背面筐体７０とも干渉する。これによっても、脚３０を間違った向きに取り付けることを防止することができる。
【００５２】
脚本体３１が脚カバー４１により覆われているため、長期間使用した場合でも、脚縁部３６が外側に開くなどの変形を防止することができる。
【００５３】
左右の脚３０の固定部が同一の形状であるので、左右に共通の脚３０を使用することができる。そのため、部品の種類を少なくすることができる。
【００５４】
脚固定ねじ３９の先端は、ねじカバー６０の内部にあるので、長いねじを間違えて使用して反射シート１８など収容体５０の内部の構造物を傷つけることを防止できる。また、脚３０を使用せず表示部本体１１を壁に掛けた状態で使用する場合に、脚固定ねじ孔６３から表示部本体１１の内部にごみ等が入ることを防止することができる。
【００５５】
２本の脚３０は、平行に取り付けられても良い。また後側の間隔が開いた状態に取り付けられても良い。表示部本体１１に、３本以上の脚３０が取り付けられても良い。３本以上の脚３０を使用する場合には、がたつきを防止するために、脚３０の高さを調整する機構を設けることが望ましい。
【００５６】
脚固定ねじ３９は、１つの取付部３２に対して１本のみでも良い。爪孔５５および筐体孔７２が回転止めの役割を兼ねるので、脚３０が表示部本体に対して回転してしまう事を防止できる。脚固定ねじ３９を１本にすることにより、さらに部品の数を減らすことができる。また、１つの取付部３２に対して３本以上の脚固定ねじ３９を使用しても良い。
【００５７】
脚本体３１の製作方法はプレス加工に限定しない。たとえば鋳造により脚本体３１を製作しても良い。また、軽量の表示装置１０である場合には、脚本体３１をエンジニアリングプラスチックの射出成形により製作しても良い。
【００５８】
表示パネル１２は上下方向の方が左右方向よりも長い矩形、または正方形であっても良い。また表示パネル１２は、円形、楕円形等、矩形以外の形状であっても良い。さらに、表示パネル１２は凹面または凸面形状であっても良い。
【００５９】
表示パネル１２は、プラズマ表示パネルまたは有機ＥＬ(Electroluminescence)表示パネル等の任意の方式の表示パネルであっても良い。
【００６０】
入力基板１４に、テレビジョン放送のアンテナを接続するアンテナ端子およびテレビジョン放送の電波を受信するチューナ回路を備えたテレビジョン受信部を搭載することにより、表示装置１０をテレビジョン受信機として構成することができる。テレビジョン受信部が受信した放送信号に所定の処理を行い、映像信号と音声信号とに分離する。映像信号に基づき表示パネル１２に映像を表示する。音声信号は図示しないスピーカーまたは音声出力端子を介して外部スピーカーから出力する。なお、入力基板１４に、アンテナ端子の代わりにテレビジョン放送受信用のアンテナを搭載しても良い。
【００６１】
表示装置１０をテレビジョン受信機として使用することにより、少ない数の部品で設置面に対して表示面を垂直に保持するテレビジョン受信機を提供することができる。
【００６２】
［実施の形態２］
本実施の形態は、前後の向きを問わない脚３０を使用した表示装置１０に関する。図１４は、実施の形態２の脚３０の外観斜視図である。図１５は、実施の形態２の表示部本体１１下面の拡大斜視図である。図１４および図１５を使用して、本実施の形態の表示装置１０に脚３０を取り付ける部分の構造を説明する。なお、実施の形態１と共通する部分については説明を省略する。
【００６３】
脚３０は、前後に対称な形状である。背面筐体７０の下面には、矩形の筐体孔７２が２個設けられている。筐体孔７２の奥に、収容体５０に設けられた固定孔５３を見通すことができる。実施の形態１と同様に、収容体５０にねじカバー６０が取り付けられており、固定孔５３に対応する位置に脚固定ねじ孔６３が設けられている。
【００６４】
筐体孔７２に脚３０の中央から突出する取付部３２および立ち上がり部３７が挿通され、取付部３２の上面が収容体５０の下面に突き当てられる。ねじカバー６０の脚固定ねじ孔６３、収容体５０の固定孔５３および脚本体３１の通し孔３３を、脚固定ねじ３９が貫通する。脚固定ねじ３９のおねじと、脚固定ねじ孔６３のめねじとの締結により、脚３０が表示部本体１１に固定される。
【００６５】
本実施の形態によると、脚３０は前後どちらの向きでも同様に表示部本体１１に取り付けることができる。したがって、向きを考慮せずに簡単に脚３０を取り付けることができる。
【００６６】
脚カバー４１を前後に２色にしても良い。たとえば、一方は黒色、他方は銀色に塗装する。このようにする事により、設置場所のインテリア等に合わせて前方からみえる脚３０の色を選択可能な表示装置１０を提供することができる。
【００６７】
［実施の形態３］
本実施の形態は、脚カバー４１を使用せず、脚本体３１が脚３０の外装部材を兼ねた表示装置１０に関する。図１６は、実施の形態３の脚本体３１の外観斜視図である。図１７は、実施の形態３の表示部本体１１の下部の拡大斜視図である。図１６および図１７を使用して、本実施の形態の脚３０について説明する。なお、実施の形態１と共通する部分については説明を省略する。
【００６８】
脚本体３１は、２つのＵ字型の接地部３４、接地部から垂直に立ち上がる脚縁部３６、接地部３４に対して垂直な２つの立ち上がり部３７、脚縁部３６と立ち上がり部３７とを連結する連結部２５、立ち上がり部３７の上端を連結する取付部３２および取付部３２の前側の縁から立ち上がる爪３５を有する。２つの接地部３４は一平面上にあり、開口側が向かい合っている。脚縁部３６と立ち上がり部３７の下端とは、曲面を介して接続している。取付部３２には、左右方向にならんだ２個の通し孔３３が設けられている。脚本体３１は、１枚の母材３８をプレス加工した部材である。本実施の形態の脚本体３１は、１つの部品で脚３０の機能を備える。
【００６９】
背面筐体７０の下面には、矩形の筐体孔７２が２個設けられている。筐体孔７２の奥には、収容体５０に設けられた矩形の爪孔５５および２個の固定孔５３を見通すことができる。実施の形態１と同様に、収容体５０にねじカバー６０が取り付けられており、固定孔５３に対応する位置に脚固定ねじ孔６３が、爪孔５５と対応する位置にカバー爪孔６５がそれぞれ設けられている。
【００７０】
取付部３２が筐体孔７２に挿通されて、取付部３２の上面が収容体５０の下面に突き当てられる。爪３５は爪孔５５に挿通されている。ねじカバー６０の脚固定ねじ孔６３、収容体５０の固定孔５３および脚本体３１の通し孔３３を、脚固定ねじ３９が貫通する。脚固定ねじ３９のおねじと、脚固定ねじ孔６３のめねじとの締結により、脚３０が表示部本体１１に固定される。
【００７１】
本実施の形態によると、脚カバー４１を使用しないので、さらに部品の数が少ない表示装置１０を提供することができる。
【００７２】
脚３０を前後反対に取り付けようとした場合には、脚本体３１の爪３５が収容体５０の下面と干渉する。そのため、脚３０を前後反対に取り付けることを防止することができる。
【００７３】
脚本体３１の製作方法はプレス加工に限定しない。たとえば鋳造により脚本体３１を製作しても良い。また、軽量の表示装置１０である場合には、脚本体３１をエンジニアリングプラスチックの射出成形により製作しても良い。
【００７４】
［実施の形態４］
本実施の形態は、脚本体３１の下側に脚カバー４１を設けた表示装置１０に関する。図１８は、実施の形態４の脚３０の断面図である。図１８を使用して、本実施の形態の脚３０について説明する。なお、実施の形態３と共通する部分については説明を省略する。
【００７５】
脚３０は、脚本体３１、脚カバー４１および化粧シート４３を有する。本実施の形態の脚本体３１は、図１６に示した実施の形態３の脚本体３１と同一の形状である。また、本実施の形態の脚本体３１と表示部本体１１との固定方法も、実施の形態３と同一である。
【００７６】
脚本体３１の下側に、矩形の平板の４辺が上に立ち上がった形状の脚カバー４１が接着されている。脚本体３１の上面は、化粧シート４３で覆われている。化粧シート４３は、たとえばＰＶＣ（PolyVinyl Chloride）製のシートを使用する。
【００７７】
本実施の形態によると、脚縁部３６の外側に脚カバー４１があるため、長期間使用した場合でも、脚縁部３６が外側に開くなどの変形を防止することができる。また、化粧シート４３を変更する事により、色違いの脚３０を容易に製作することができる。
【００７８】
脚カバー４１の下面に、ゴムシートまたはゴム足などの滑り止めを取り付けても良い。このようにする事により、設置場所から滑って移動してしまう事の少ない表示装置１０を提供することができる。
【００７９】
脚カバー４１の下面に、たとえばフッ素樹脂コーティングなどの潤滑性を高くする加工を行っても良い。このようにする事により、軽い力で簡単に滑らせて、設置位置や設置向きを変更することができる表示装置１０を提供することができる。
【００８０】
［実施の形態５］
本実施の形態は、２つに分割した脚カバー４１を有する表示装置１０に関する。図１９は、実施の形態５の脚３０の外観斜視図である。図２０は、実施の形態５の脚３０の断面図である。図１９を使用して、本実施の形態の脚３０について説明する。なお、実施の形態１と共通する部分については説明を省略する。
【００８１】
脚カバー４１は、分割線４５を境に前後方向に二つに分割されている。分割線４５の近傍には、固定爪４６と、固定爪４６に対応する窪みが複数設けられている。脚本体３１の前側および後側から、それぞれ脚本体３１に被せられた脚カバー４１が、固定爪４６と窪みにより固定されている。
【００８２】
本実施の形態によると、二つの脚カバー４１同士を押し込んで固定爪と窪みとをはめこむことにより、ねじを使用せずに脚本体３１と脚カバー４１とを固定することができるので、部品の数が少ない表示装置１０を提供することができる。
【００８３】
［実施の形態６］
本実施の形態は、脚３０を１個だけ使用する表示装置１０に関する。図２１は、実施の形態６の脚３０の外観斜視図である。図２１を使用して、本実施の形態の脚３０について説明する。なお、実施の形態１と共通する部分については説明を省略する。
【００８４】
脚３０は、十字型の脚本体３１と、脚本体３１を覆う脚カバー４１を有する。脚本体３１は、中央に矩形の取付部３２を有する。取付部３２は、脚カバー４１から突出している。取付部３２は２個の通し孔３３を有する。
【００８５】
本実施の形態の表示部本体１１の下面は、図１５に示した実施の形態２の表示部本体１１と類似の構造を備える。すなわち、背面筐体７０の下面には、左右方向の中央部に矩形の筐体孔７２が１個設けられている。筐体孔７２の奥には、収容体５０に設けられた２個の固定孔５３がある。
【００８６】
筐体孔７２に脚３０の中央から突出する取付部３２が挿通され、取付部３２の上面が収容体５０の下面に突き当てられる。ねじカバー６０の脚固定ねじ孔６３、収容体５０の固定孔５３および脚本体３１の通し孔３３を、脚固定ねじ３９が貫通する。脚固定ねじ３９のおねじと、脚固定ねじ孔６３のめねじとの締結により、脚３０が表示部本体１１に固定される。
【００８７】
本実施の形態によると、脚３０は十字型になっているので、１個の脚３０で表示部本体１１を安定して支えることができる。そのため、さらに部品の数が少ない表示装置１０を提供することができる。
【００８８】
脚３０は、十字型に限定しない。たとえば３本に分かれていても良い。また、十字型の脚本体３１が円形または楕円形の脚カバー４１で覆われていても良い。
【００８９】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００９０】
以上のように、映像を表示する表示パネル１２を含む表示部本体１１、前記表示部本体
１１を支持する脚３０および前記表示部本体１１に前記脚３０を固定する固定部材３９を
有する本発明にかかる表示装置１０において、前記表示部本体１１は、下面に固定孔５３
を備え、前記脚３０は、上向きに立ち上がる脚縁部３６を縁に有する複数の接地部３４と、折り曲げられた板材により前記接地部３４と一体に形成されており、前記接地部３４間を接続する接続部２７と、表面を覆い、前記接地部３４および前記脚縁部３６との間に空洞を形成する脚カバー４１とを有し、前記接続部２７は、前記板材を厚さ方向に貫通する通し孔３３が設けられた取付部３２と、前記取付部３２の縁と前記接地部３４とに連続する立ち上がり部３７とを有し、前記固定部材３９は、前記通し孔３３と前記固定孔５３とに挿通された棒状部を備える。
【００９１】
本発明にかかる表示装置１０は、前記取付部３２は矩形であり、前記立ち上がり部３７
は、前記取付部３２の向かい合う２辺にそれぞれ連続し、互いに平行に配置されている。
本発明にかかる表示装置１０は、同一形状を有する複数の前記脚３０を備える。
【００９２】
本発明にあっては、脚３０が固定部材３９により表示部本体１１の下面に固定されるの
で、少ない数の部品で設置面に対して表示面を垂直に保持する脚を備える表示装置１０を
提供することができる。
本発明にあっては、脚３０の構造部材が曲げた板材により一体に構成されているので、
少ない数の部品を使用した表示装置１０を提供することができる。
【００９３】
本発明にあっては、脚３０の表面が脚カバー４１により覆われているので、見栄えの良い表示装置１０を提供することができる。
【００９４】
本発明にかかる表示装置１０は、前記取付部３２は、水平に配置される。
【００９５】
本発明にあっては、取付部３２が水平に配置されているので、表示部本体１１を安定して設置できる表示装置を提供することができる。
【００９６】
本発明にかかる表示装置１０は、前記表示部本体１１は、前記表示パネル１２の背面に設けられた反射シート１８と、前記反射シート１８を収容する収容体５０とを備え、前記棒状部は、前記反射シート１８と前記収容体５０との間に一端を、前記収容体５０の外側に他端を有する。
【００９７】
本発明にあっては、バックライトの下側の空間を活用して表示部本体１１と脚３０とを固定するので、小型化した表示装置１０を提供することができる。
【００９８】
本発明にかかるテレビジョン受信機は、上述のいずれか一つに記載の表示装置１０と、テレビジョン放送を受信する受信部とを備え、前記受信部にて受信したテレビジョン放送に基づいて、前記表示装置１０に映像を表示するようにしてある。
【００９９】
本発明に有っては、部品数を少なくした表示装置１０を用いたテレビジョン受信機を提供することができる。
【符号の説明】
【０１００】
１０  表示装置
１１  表示部本体
１２  表示パネル
１３  前枠
１４  入力基板
１５  光学シート
１６  保持体
１７  ＬＥＤ基板
１８  反射シート
１８１  平面部
１８２  傾斜部
１８３  孔
２５  連結部
２７  接続部
３０  脚
３１  脚本体
３２  取付部
３３  通し孔
３４  接地部
３５  爪
３６  脚縁部
３７  立ち上がり部
３８  母材
３９  脚固定ねじ
４１  脚カバー
４４  規制突起
４６  固定爪
４８  脚カバー固定ねじ
４９  脚ゴム
５０  収容体
５１  底板
５２  側板
５３  固定孔
５５  爪孔
６０  ねじカバー
６３  脚固定ねじ孔
６５  カバー爪孔
６６  ねじカバー固定ねじ
７０  背面筐体
７２  筐体孔
【図１】
0006602058.tif 000002
【図２】
0006602058.tif 000003
【図３】
0006602058.tif 000004
【図４】
0006602058.tif 000005
【図５】
0006602058.tif 000006
【図６】
0006602058.tif 000007
【図７】
0006602058.tif 000008
【図８】
0006602058.tif 000009
【図９】
0006602058.tif 000010
【図１０】
0006602058.tif 000011
【図１１】
0006602058.tif 000012
【図１２】
0006602058.tif 000013
【図１３】
0006602058.tif 000014
【図１４】
0006602058.tif 000015
【図１５】
0006602058.tif 000016
【図１６】
0006602058.tif 000017
【図１７】
0006602058.tif 000018
【図１８】
0006602058.tif 000019
【図１９】
0006602058.tif 000020
【図２０】
0006602058.tif 000021
【図２１】
0006602058.tif 000022